(57)【要約】【課題】  従来の水質改善装置では、水面の水と水底の水の中間で混合するために、水質の改善にはなるが、あまり効果は得られないという点である。【解決手段】  台座１の下に 浮袋２が装着されて水面３の上に浮遊する用に構成され、又、台座１の上にモータ４が装着され、モータ４の側部にモータ駆動回路５が装着され、台座１の上に超音波駆動回路６及び高電圧発生回路７が装着され、台座１の下方に水管８が支持部材９で支持され、水管のほぼ中心を通って、モータ４に接続された回転軸１０が通る支持筒１１が台座１に固定され、回転軸１０の下端にプロペラ１２が装着され、水管８の上部に超音波振動子１３が装着され、水管８の内部に支持筒１１を巻回するように磁界発生用巻線１４が装着され、磁界発生用巻線１４の端部に電極１５、１６が接続され、高電圧発生回路７から磁界発生用巻線１４に高電圧が印加されている。【選択図】        図１
2006205103.tif 000002
【特許請求の範囲】
【請求項１】
浮袋によって水面を浮遊するようにした台座と、該台座の下部に垂直方向に装着した水管と、該水管の最下部に装着されたプロペラと、前記台座に装着して前記水管を通した回転軸によって前記プロペラを回転するモータと、前記台座に装着されて前記モータを駆動する電源と、前記水管の上部に装着された超音波振動子と、前記台座に装着されて前記超音波振動子を駆動する超音波発振器と、前記水管に装着され、前記回転軸の周囲に二重に巻回される磁界発生用巻線と、該磁界発生用巻線のそれぞれの端部に接続された電気分解用電極と、前記磁界発生用巻線の他端に接続され、前記台座に装着された高電圧発生回路とからなり、前記モータを駆動して前記プロペラを回転することにより、水面近傍の水を前記水管を通して下方に流し、前記水管を流れる水に前記超音波振動子から超音波を照射して水質を改善し、前記高電圧発生回路から前記磁界発生用巻線に高電圧を印加して、前記磁界発生用巻線で磁界を発生するとともに、前記電気分解用電極に高電圧を印加して前記水管を流れるヘドロ等を分解することを特徴とする閉鎖水域の水質改善装置。
【請求項２】
前記磁界発生用巻線は二重巻線が互いに逆巻とすることにより、磁界が打ち消され無いようにすることを特徴とする請求項１記載の閉鎖することをの水質改善装置。
【発明の詳細な説明】
【技術分野】
【０００１】
本発明は、溜池や貯水池などの閉鎖水域に於ける水質を改善するようにした閉鎖水域の水質改善装置に関するものである。
【背景技術】
【０００２】
一般に、養殖場の溜池、水産業用の溜池、水産業用の生簀、農業溜池、防火用溜池部の閉鎖性の高い場所では、窒素、リンなどの栄養素の増加による藻類の異常増殖や冨栄養化による水質の悪化などが問題となっている。
【０００３】
しかしながら、このような閉鎖性の高い場所で簡単な水質処理を行うために、従来は上部水管及び下部水管を縦に設け、そして、上部水管と下部水管の間に上部水管によって水管によって水面の水を吸引するプロペラ及び下部水管によって水底の水を吸引するプロペラを設けて水面近傍のの水及び水底近傍の水を混合して、水面と水底のほぼ中間に排出することにより、水質を改善しているが、あまり効果は得られないという問題があった。
【発明の開示】
【発明が解決しようとする課題】
【０００４】
解決しようとする問題点は、従来の閉鎖水域の水質改善装置では、水面の水と水底の水の中間で混合するために、水質の改善にはなるが、あまり効果は得られないという点である。
【課題を解決するための手段】
【０００５】
本発明は、台座が浮袋によって水面を浮遊するように構成され、水管が台座の下部に垂直方向に装着され、プロペラが水管の最下部に装着され、モータが台座に装着されて、水管を通した回転軸によってプロペラを回転するように構成され、電源が台座に装着されてモータを駆動するように構成され、超音波振動子が水管の上部に装着され、超音波発振器が台座に装着されて超音波振動子を駆動し、磁界発生用巻線が水管に装着され、回転軸の周囲で二重に巻回され、電気分解用電極が磁界発生用巻線のそれぞれの端部に接続され、前記台座に装着された高電圧発生回路が磁界発生用巻線の他端に接続されてなり、モータを駆動してプロペラを回転することにより、水面近傍の水を水管を通して下方に流し、水管を流れる水に超音波振動子から超音波を照射して水質を改善し、高電圧発生回路から磁界発生用巻線を介して電気分解用電極の間に高電圧を印加し、磁界発生用巻線より磁界を発生して、水質に流れるヘドロを分解する。
【発明の効果】
【０００６】
本発明では、水面近傍の水を水管に流して、超音波振動子から発生する超音波を印加して水を活性化することにより、水質を改善し、磁界発生用巻線に高電圧発生回路より電力を印加して磁界を発生するとともに、磁界発生用巻線に接続された電気分解用電極の間に高電圧を印加することにより、水管を流れる水を電気分解して、水の中に含まれているヘドロ等を分解することにより、閉鎖水域の水質を改善することができるという利点がある。
【発明を実施するための最良の形態】
【０００７】
本発明では、閉鎖性水域において、水管の上部の水面近傍の水をプロペラで下部に流すことにより、水管を流れる水に超音波を照射するとともに、磁界発生用巻線に高電圧発生回路より電力を印加して磁界を発生するとともに、磁界発生用巻線に接続された電気分解用電極の間に高電圧を印加することにより、水管を流れる水を電気分解して、水の中に含まれているヘドロ等を分解することにより、水質改善をすることができるものである。
【実施例】
【０００８】
図１は本発明の実施例の閉鎖水域の水質改善装置の構成図で、台座１の下に 浮袋２が装着されて水面３の上に浮遊する用に構成され、又、台座１の上にモータ４が装着され、モータ４の側部にモータ駆動回路５が装着され、さらに、台座１の上に超音波駆動回路６及び高電圧発生回路７が装着され、台座１の下方に水管８が支持部材９で支持され、水管のほぼ中心を通って、モータ４に接続された回転軸１０が通る支持筒１１が台座１に固定され、回転軸１０の下端にプロペラ１２が装着され、水管８の上部に超音波振動子１３が装着され、又、水管８の内部に支持筒１１を巻回するように磁界発生用巻線１４が装着され、この磁界発生用巻線１４の端部に電極１５、１６が接続され、高電圧発生回路７から磁界発生用巻線１４に高電圧が印加され、又、磁界発生用巻線１４は二重に構成され、この二重の巻線は磁界が打ち消され無いように、電極１５に接続されている巻線と電極１６に接続されている巻線は逆巻に構成されている。
【０００９】
このように構成された本実施例の閉鎖水域の水質改善装置では、まず、モータ駆動回路５からの出力でモータ４を駆動すると、プロペラ１２が回転し、水面近傍の水を水管８を通して下端に流すので、超音波駆動回路６を駆動して、超音波振動子１３から超音波を発生し、、水管８を流れる水に超音波を照射することにより、水を活性化して水質を改善し、、まず、高電圧発生回路７から磁界発生用巻線１４に高電圧を印加することにより、磁界発生用巻線１４から磁界を発生することにより、水管８を流れる水に磁界を照射してヘドロ等を分解するとともに、磁界発生用巻線１４を介して電極１５、１６に高電圧が印加されることにより、水管８を流れる水を電気分解して、水管８を流れる水に含まれるヘドロ等を分解することにより、閉鎖水域の水質が改善される。
【００１０】
本実施例では、このように、水質改善装置が閉鎖水域を浮遊している間に、モータ４によってプロペラ１２を回転し、水管８を通して水面３近傍の水を下方に流通させ、その間に超音波振動子によって超音波を照射し、磁界発生用巻線１４で磁界を照射し、さらに電極１５、１６によって水管８を流通する水を電気分解することにより、閉鎖水域の水質を改善することができる。
【産業上の利用可能性】
【００１１】
本発明では、水管によって閉鎖水域の水面近傍の水を水底に循環しながら超音波振動子からの順に超音波の照射と、磁界発生用巻線による磁界の照射と、電気分解用電極による電気分解とにより、閉鎖水域の水質を改善するように構成したが、電気分解用電極を磁界発生用巻線の上部に装着し、超音波振動子を最下部に装着するようにしてもよい。
【図面の簡単な説明】
【００１２】
【図１】本発明の実施例の閉鎖水域の水質改善装置の構成図である。
【符号の説明】
【００１３】
１              台座
２              浮袋
３              水面
４              モータ
５              モータ駆動回路
６              超音波駆動回路
７              高電圧発生回路
８              水管
９              支持部材
１０            回転軸
１１            支持筒
１２            プロペラ
１３            超音波振動子
１４            磁界発生用巻線
１５、１６      電極
【図１】
2006205103.tif 000003